(57)【要約】【課題】網戸が強風に煽られても音が発生し難い建具を提供する。【解決手段】縦框を有する網戸と、前記縦框と対向する一対の縦枠を備え、前記網戸をスライド移動可能に支持する枠体と、を有し、前記一対の縦枠は、前記網戸のスライド方向において、互いに対向する内周側に突出する突出片を有し、前記縦框は、前記網戸のスライド方向において前記縦枠と対向する側が開放され前記突出片が挿入される挿入凹部を有し、前記網戸は、前記突出片が挿入され、前記挿入凹部の見込み幅よりも狭いスリットを前記挿入凹部内に形成するスリット形成部材が当該挿入凹部内に設けられている。【選択図】図４
2020063596.tif 000002
【特許請求の範囲】
【請求項１】
縦框を有する網戸と、
前記縦框と対向する一対の縦枠を備え、前記網戸をスライド移動可能に支持する枠体と、を有し、
前記一対の縦枠は、前記網戸のスライド方向において、互いに対向する内周側に突出する突出片を有し、
前記縦框は、前記網戸のスライド方向において前記縦枠と対向する側が開放され前記突出片が挿入される挿入凹部を有し、
前記網戸は、前記突出片が挿入され、前記挿入凹部の見込み幅よりも狭いスリットを前記挿入凹部内に形成するスリット形成部材が当該挿入凹部内に設けられていることを特徴とする建具。
【請求項２】
請求項１に記載の建具であって、
前記スリット形成部材は、合成樹脂製であることを特徴とする建具。
【請求項３】
請求項１または請求項２に記載の建具であって、
前記スリットは、前記スリット形成部材に設けられていることを特徴とする建具。
【請求項４】
請求項１乃至請求項３のいずれかに記載の建具であって、
前記挿入凹部は、前記縦框の長手方向に沿って設けられており、見込み方向に間隔を空けて対向する一対の見付け壁部と、
前記一対の見付け壁部を見込み方向に繋ぐ見込み壁部と、
前記スリット形成部材と係合し、スライド方向における、前記スリット形成部材の前記挿入凹部から開放されている側への移動を規制する移動規制部と、
を有し、
前記スリット形成部材は、前記見込み壁部をスライド方向に押圧することにより、当該スリット形成部材を前記移動規制部に押圧する押圧機構により前記縦框に保持されていることを特徴とする建具。
【請求項５】
請求項４
に記載の建具であって、
前記挿入凹部には、前記移動規制部がスライド方向において互いに異なる位置に複数設けられていることを特徴とする建具。
【発明の詳細な説明】
【技術分野】
【０００１】
本発明は、網戸を備えた建具に関する。
【背景技術】
【０００２】
従来、網戸を備えた建具として、たとえば、建物の躯体に固定された枠体内に外障子と内障子が摺動可能に納められ、外障子の更に室外側に網戸が見付け面内で左右方向にスライド可能に納められている建具が知られている（例えば、特許文献１参照）。このような建具の枠体は上枠と下枠と左右の縦枠とで矩形状に形成されており、上枠及び下枠には、室外側の端に網戸を案内するレールを通しており、左右の縦枠には、見込み方向においてレールと同じ位置に、見付け面内でそれぞれ内周側に突出してヒレ状をなす縦枠片が形成されている。一方、網戸の左右の縦框の外側端部には網戸を縦枠に当接させた際に縦枠片を受け入れる凹溝が形成されている。
【先行技術文献】
【特許文献】
【０００３】
【特許文献１】特開２０１５−２２４４３３号公報
【発明の概要】
【発明が解決しようとする課題】
【０００４】
上記従来の建具は、網戸を縦枠に当接させた際に、網戸の左右の縦框の外側端部に設けられている凹溝に、縦枠に設けられている縦枠片が挿入されている。網戸は、重量が大きなガラス等を備える障子のように高い剛性・強度が求められない。このため、強風等により煽られると上下方向における中央部分が見込み方向に移動して湾曲する場合がある。特に、近年では、窓の大型化に伴い建具の高さも高くなり縦框の長さが長くなっているため、より大きく湾曲して振れることにより、縦框と、縦框に挿入されている縦枠片とが接触して不快な音が発生する虞があるという課題がある。
本発明は、かかる課題に鑑みてなされたものであり、その目的とするところは、網戸が強風に煽られても音が発生し難い建具を提供することにある。
【課題を解決するための手段】
【０００５】
かかる目的を達成するために本発明の建具は、縦框を有する網戸と、前記縦框と対向する一対の縦枠を備え、前記網戸をスライド移動可能に支持する枠体と、を有し、前記一対の縦枠は、前記網戸のスライド方向において、互いに対向する内周側に突出する突出片を有し、前記縦框は、前記網戸のスライド方向において前記縦枠と対向する側が開放され前記突出片が挿入される挿入凹部を有し、前記網戸は、前記突出片が挿入され、前記挿入凹部の見込み幅よりも狭いスリットを前記挿入凹部内に形成するスリット形成部材が当該挿入凹部内に設けられていることを特徴とする建具である。
本発明の他の特徴については、本明細書及び添付図面の記載により明らかにする。
【発明の効果】
【０００６】
本発明によれば、網戸が強風に煽られても音が発生し難い建具を提供することが可能である。
【図面の簡単な説明】
【０００７】
【図１】本実施形態に係る建具を室外側から見た外観図である。
【図２】図１におけるＡ−Ａ断面図である。
【図３】本実施形態に係る建具の縦断面図である。
【図４】縦框凹部に保持された係合部材を示す横断面図である。
【図５】縦框上部材及び係合部材を示す斜視図である。
【図６】縦框上部材及び係合部材を示す縦断面図である。
【図７】係合部材を外周側から見た斜視図である。
【図８】係合部材を内周側から見た斜視図である。
【図９】縦框凹部においてより外周側に保持された係合部材を示す横断面図である。
【発明を実施するための形態】
【０００８】
以下、本発明の一実施形態に係る建具について図面を参照して説明する。
【０００９】
本実施形態の建具１は、図１〜図３に示すように、建物に設けられた枠体２に、ガラスを備えて枠体２に固定されたＦＩＸ障子３と、枠体２とＦＩＸ障子３とによって形成される開口２ａを閉止可能な引き戸障子４と、開口２ａを覆うことが可能な網戸５と、を有している。
【００１０】
以下の説明においては、建物に設けられている建具１を室外側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が建物に設けられている状態にて上下方向、左右方向、奥行き方向となる方向にて方向を特定して説明する。
【００１１】
引き戸障子４及び網戸５は、左右方向となるスライド方向にスライド移動可能に枠体２に支持されている。
枠体２は、左右一対の縦枠２１と、一対の縦枠２１の上端及び下端を繋ぐ上枠２２及び下枠２３とが矩形状に枠組みされている。引き戸障子４は、ＦＩＸ障子３より室内側にてスライド可能に支持されており、網戸５は、ＦＩＸ障子３より室外側にてスライド可能に支持されている。
【００１２】
枠体２は、一対の縦枠２１、上枠２２、及び、下枠２３における最も室外側の縁から、枠体２の内周側に向かって突出する突出片２１ａ、２２ａ、２３ａを有しており、上下の突出片２２ａ、２３ａが、網戸５がスライド移動する際に案内されるレールをなしている。左の縦枠２１の突出片２１ａは、開口２ａを覆うべく網戸５を左側に寄せたときに、網戸５の縦框５１に挿入される。以下の説明においては、上枠２２の突出片２２ａを上レール２２ａ、下枠２３の突出片２３ａを下レール２３ａという。
【００１３】
網戸５は、左右一対の縦框５１と、一対の縦框５１の上端部間を繋ぐ上框５２と、一対の縦框５１の下端部間を繋ぐ下框５３とが矩形状に枠組みされた框体５０、及び、框体５０に囲まれた領域に張設された網材５４を有している。以下の説明においては、矩形状に框組みされた框体５０に囲まれている内側を内周側、外側を外周側として説明する。
【００１４】
縦框５１は、アルミニウム製の押出成形部材でなり、網戸５を閉じた際に縦枠２１と係合する左側の縦框５１は、図４に示すように、上下方向となる長手方向に貫通する中空部５１０と、中空部５１０の内周側に設けられ網材５４の端部が係止される網材係止部５１１と、中空部５１０の外周側に設けられ、外周側が開放されて内周側に窪む縦框凹部５１２と、を有している。
【００１５】
縦框凹部５１２は、中空部５１０を形成し室外に臨む面を形成する中空外壁部５１０ａと繋がった平面をなす凹部外壁部５１２ａと、中空部５１０を形成し室内に臨む面を形成する中空内壁部５１０ｂと繋がった平面をなす凹部内壁部５１２ｂと、中空部５１０の外周側の側面を形成する外周壁部５１０ｃと、により形成されている。
【００１６】
凹部外壁部５１２ａと凹部内壁部５１２ｂとには、互いに対向する方向に向かって突出する凹部突片５１２ｃ、５１２ｄが設けられている。凹部突片５１２ｃ、５１２ｄは、凹部外壁部５１２ａに２箇所、凹部内壁部５１２ｂに３箇所、左右方向においてほぼ等間隔に設けられている。凹部内壁部５１２ｂには３箇所に凹部突片５１２ｃ、５１２ｄが設けられており、そのうちの内周側に位置する２箇所の凹部突片５１２ｃが、凹部外壁部５１２ａに設けられている２箇所の凹部突片５１２ｃと対向している。以下の説明においては、見込み方向において対向する位置に、それぞれ設けられている凹部突片５１２ｃを対向凹部突片５１２ｃという。
【００１７】
外周壁部５１０ｃと、外周壁部５１０ｃ側に位置する対向凹部突片５１２ｃとの間隔Ｌ９と、左右方向に隣り合う２つの対向凹部突片５１２ｃの間隔Ｌ８とは、ほぼ等しく形成されている。凹部内壁部５１２ｂの最も外周側に設けられている凹部突片５１２ｄは、後述する係合部材７の誤装着を防止するためのものであり、必ずしも設けられていなくとも構わない。
【００１８】
左右の縦框５１の縦框凹部５１２内には、網戸５がスライド移動する際に、図５、図６に示すように、縦框５１の上部にて上枠２２の上レール２２ａと摺動する摺動面６ａを有する合成樹脂製の框上部材６が設けられており、左側の縦框５１の上下方向における中央近傍には、網戸５を閉じたときに、左の縦枠２１が備える突出片２１ａと係合する合成樹脂製の係合部材７が設けられている。ここで、縦框凹部５１２が挿入凹部に相当し、凹部外壁部５１２ａと凹部内壁部５１２ｂとが一対の見付け壁部に相当し、外周壁部５１０ｃが一対の見付け壁部を見込み方向に繋ぐ見込み壁部に相当する。
【００１９】
本実施形態の框上部材６は、摺動面６ａを有する摺動部材６０と、網戸５が移動する際に摺動抵抗を付加すべく、上レール２２ａを下方から押圧する摺動抵抗付加部材６１とが一体に設けられている。框上部材６は、摺動部材６０が縦框凹部５１２に挿入され、摺動部材６０と一体をなす摺動抵抗付加部材６１が、上框５２に設けられて上レール２２ａが挿入される上框凹部５２ａに配置される。
【００２０】
摺動部材６０は、上部に、縦框５１の上端部に配置されて上レール２２ａが挿入され網戸５がスライド移動する際に摺動される摺動面６ａをなすＵ字凹部６０ａと、Ｕ字凹部６０ａの下に設けられ左右方向に貫通する貫通孔６０ｂと、凹部外壁部５１２ａ及び凹部内壁部５１２ｂに設けられた２つの対向凹部突片５１２ｃの間に挿入される挿入突部６０ｃと、網戸５を閉じたときに左の縦枠２１が備える突出片２１ａが当接する縦枠当接部６０ｄと、を有している。
【００２１】
框上部材６は、縦框５１の上方から挿入突部６０ｃが、凹部外壁部５１２ａ及び凹部内壁部５１２ｂの２つの対向凹部突片５１２ｃの間に挿入され、縦框凹部５１２の開放されている外周側から挿入されるねじ６２が、貫通孔６０ｂに挿通されて外周壁部５１０ｃに螺合されて固定される。このとき、貫通孔６０ｂは、ねじ頭部６２ａの直径より大きいため、貫通孔６０ｂ内にねじ頭部６２ａが収容されて框上部材６の上下方向の移動が規制される。
【００２２】
係合部材７は、上下方向に間隔を空けて設けられた上側部７０及び下側部７１と、縦框凹部５１２内に配置された状態で上側部７０の内周側の部位と下側部７１の内周側の部位を繋ぐ連結部７２と、を有している。
【００２３】
図７、図８に示すように、上側部７０及び下側部７１は、外周側の端が開放されて連結部７２側に窪む係合凹部７ａをそれぞれ有している。上側部７０及び下側部７１の係合凹部７ａは、見込み方向にける中央より室内側に偏らせて同位置に配置されている。また、係合凹部７ａは、見込み方向に間隔を空けてスリットＳを形成する対向面７ｂを有しており、係合凹部７ａの開放されている側は、先端、すなわち外周側に向かって間隔が広くなる傾斜７ｃを有している。ここで、係合部材７が、挿入凹部内に、突出片が挿入され、挿入凹部の見込み幅よりも狭いスリットを形成するスリット形成部材に相当する。
【００２４】
係合凹部７ａが有するスリットＳの幅、すなわち対向面７ｂの間隔Ｌ１は、縦框凹部５１２の見込み幅、より具体的には、凹部外壁部５１２ａと凹部内壁部５１２ｂとの外周側の端の見込み幅Ｌ２より狭く形成されている。
【００２５】
上側部７０及び下側部７１の連結部７２の上下に位置する部位、及び、左右方向におけるほぼ半分から内周側の部位は、見込み方向の幅Ｌ３が、凹部外壁部５１２ａと凹部内壁部５１２ｂとに設けられた対向凹部突片５１２ｃの見込み方向における先端間の間隔Ｌ４よりも僅かに狭く形成されている。上側部７０及び下側部７１の、左右方向におけるほぼ半分から外周側の部位は、内周側の部位よりも見込み方向の幅が広く、凹部外壁部５１２ａの内面と凹部内壁部５１２ｂの内面との間隔Ｌ５より僅かに狭い幅をなす拡幅部７ｄ、７ｅを有している。
【００２６】
係合部材７が縦框凹部５１２内に配置された際に、室内側に位置する拡幅部７ｄは、凹部内壁部５１２ｂに設けられた凹部突片５１２ｄと干渉しないように、室外側に位置する拡幅部７ｅよりも小さく形成されている。このため、係合凹部７ａが見込み方向において中央より室内側に偏って配置されているべき係合部材７が、係合凹部７ａが中央より室外側に偏るように取り付けられることを防止することが可能である。
【００２７】
連結部７２は、見込み方向の幅Ｌ６が、上側部７０及び下側部７１において連結部７２の上下に位置する部位より広く、対向凹部突片５１２ｃが設けられている凹部外壁部５１２ａの内面と凹部内壁部５１２ｂの内面との間隔Ｌ５より僅かに狭く形成された見込み張出部７２ａを有している。見込み張出部７２ａは、左右方向において２つに分割されており、左右方向における中央に対向凹部突片５１２ｃと係合可能な係合部としての見込み凹部７２ｂが設けられている。
【００２８】
２つに分割された見込み張出部７２ａの左右方向の幅Ｌ７は、各々、左右方向に隣り合う２つの対向凹部突片５１２ｃの間隔Ｌ８、及び、外周壁部５１０ｃと内周側に位置する対向凹部突片５１２ｃとの間隔Ｌ９より僅かに狭く形成されている。このため、係合部材７は、２つに分割された見込み張出部７２ａが、左右方向に隣り合う２つの対向凹部突片５１２ｃの間と、外周壁部５１０ｃと内周側に位置する対向凹部突片５１２ｃとの間とに挿入される位置、及び、２つに分割された見込み張出部７２ａの一方が、左右方向に隣り合う２つの対向凹部突片５１２ｃの間に挿入され、他方が、２つの対向凹部突片５１２ｃよりも外周側に配置される位置に挿入可能である。
【００２９】
また、連結部７２には、外周壁部５１０ｃと対向する面７２ｃに、外周側に窪ませて、プレートナット７３を回転不能に収容する収容凹部７２ｄと、収容凹部７２ｄと連結部７２の外周側とを連通し、左右方向にねじ７４が挿通される挿通孔７２ｅと、が設けられている。
【００３０】
係合部材７は、連結部７２の挿通孔７２ｅに挿通されたねじ７４が、収容凹部７２ｄに収容されたプレートナット７３に螺合されている状態で、縦框５１に上方から挿入される。このとき、ねじ７４の先端７４ａは連結部７２の内周側の面７２ｃより外周壁部５１０ｃ側へは突出していない。またこのとき、例えば、２つに分割された見込み張出部７２ａが、左右方向に隣り合う２つの対向凹部突片５１２ｃの間と、外周壁部５１０ｃと内周側に位置する対向凹部突片５１２ｃとの間とにそれぞれ挿入されて、左右方向への移動が規制される。すなわち、縦框凹部５１２が開放されている外周側への移動も規制される。ここで、対向凹部突片５１２ｃが、移動規制部に相当する。
【００３１】
縦框凹部５１２は、縦框５１の長手方向に沿って設けられているので、上下方向であればいずれの位置にも移動可能である。そして、所望の位置においてプレートナット７３に螺合されているねじ７４を締めることによりねじ７４の先端７４ａを内周側に突出させ、外周壁部５１０ｃを外周側から内周側に押圧する。このとき、見込み張出部７２ａを対向凹部突片５１２ｃに押圧させることにより、外周壁部５１０ｃと対向凹部突片５１２ｃとの間で突っ張らせて係合部材７が保持される。すなわち、見込み壁部としての外周壁部５１０ｃをスライド方向に押圧することにより、係合部材７を移動規制部としての対向凹部突片５１２ｃに押圧して係合部材７が縦框５１に保持されている。ここで、係合部材７、係合部材７を貫通するねじ７４、及び、係合部材７を貫通するねじ７４が螺合され係合部材７により回り止めされているプレートナット７３が、見込み壁部をスライド方向に押圧することにより、スリット形成部材を移動規制部に押圧する押圧機構に相当する。
【００３２】
係合部材７を取り付けた後に、縦框５１の上方から框上部材６を取り付けた後に、網戸５を枠体２に建て込む。建て込んだ網戸５を左側の縦枠２１側に寄せると、縦枠２１の突出片２１ａが、縦框５１に設けられた係合部材７の係合凹部７ａ内に挿入される。すなわち、見込み方向に間隔を空けてスリットＳを形成する対向面７ｂの間に突出片２１ａが挿入される。
【００３３】
上記実施形態の建具１によれば、網戸５の縦框５１が有する縦框凹部５１２内には、縦框凹部５１２の見込み幅Ｌ２よりも狭く、縦枠２１の突出片２１ａが挿入可能なスリットＳを形成する係合部材７が設けられている。このため、縦框凹部５１２内に配置された係合部材７のスリットＳに突出片２１ａが挿入された状態で網戸５が強風に煽られたとしても、網戸５の見込み方向の移動は、係合部材７が設けられていないときよりも小さく、網戸５と縦枠２１等が接触して発生する音を小さく抑えることが可能である。このため、網戸５が強風に煽られても音が発生し難い建具１を提供することが可能である。
【００３４】
網戸５は、例えば引き戸障子４のように重量が大きなガラス等を備えていないため、網戸５の框体５０の剛性・強度が引き戸障子４の框より低く、強風に煽られたときには、撓み易い。このとき、網戸５の框体５０の強度を上げるべく肉厚を厚くするなど剛性を高めることも可能であるが、建具全体の重量が大きくなると共にコストが高くなる。このため、本発明の建具１のように、縦框５１に係合部材７を取り付けることにより、重量及びコストを抑えつつ、網戸５が強風に煽られても音が発生し難い建具１を提供することが可能である。
また、係合部材７は、網戸５を閉じたときに縦枠当接部６０ｄ等とともに突出片２１ａが当接されるので、縦枠当接部６０ｄ等に作用する力を分散させることが可能である。
【００３５】
また、係合部材７により形成されたスリットＳに挿入された突出片２１ａが合成樹脂製の係合部材７に接触して発生する音は、金属同士が接触して発生する音よりも低く小さい。このため、網戸５が強風に煽られても音がより発生し難い建具１を提供することが可能である。
【００３６】
また、スリットＳが係合部材７に設けられているので、係合部材７を縦框凹部５１２に設けることにより、縦框凹部５１２の見込み幅Ｌ２よりも狭いスリットＳを縦框凹部５１２内に確実に設けることが可能である。
【００３７】
また、縦框凹部５１２に挿入された係合部材７は、開放されている外周側からスライド方向に貫通するねじ７４が、回り止めされたプレートナット７３に螺合されているので、ねじ７４を締めると開放されている側と反対側、すなわち外周壁部５１０ｃ側に突出し、先端７４ａが外周壁部５１０ｃに当接する。このとき、係合部材７は、対向凹部突片５１２ｃにより縦框凹部５１２から開放されている側への移動が規制されているので、ねじ７４を締めることにより係合部材７とねじ７４が対向凹部突片５１２ｃと外周壁部５１０ｃとの間で突っ張ることにより、縦框５１の縦框凹部５１２内に保持することが可能である。
【００３８】
このため、係合部材７は、左右方向にスライドする網戸５に必要な框上部材６が設けられている縦框５１であれば、縦框５１に新たに加工を施すことなく、縦框５１に上方から挿入して、ねじ７４を締めるだけで係合部材７を縦框凹部５１２内に容易に備えることが可能である。また、縦框凹部５１２は、縦框５１の長手方向に沿って設けられているので、縦框５１の長手方向において所望の位置に係合部材７を配置することが可能である。
【００３９】
また、縦框凹部５１２には、対向凹部突片５１２ｃがスライド方向において互いに異なる２箇所に設けられているので、係合部材７をスライド方向における異なる位置に配置することが可能である。このため、網戸５や枠体２の歪みなどにより、網戸５の縦框５１と縦枠２１との間隔が広がってしまったとしても、例えば、図９に示すように、係合部材７の、対向凹部突片５１２ｃと係合する位置を変更し、係合部材７の見込み張出部７２ａを、左右方向に隣り合う２つの対向凹部突片５１２ｃの間と、２つの対向凹部突片５１２ｃよりも外周側に配置することにより、係合部材７をより外周側に配置してスリットＳに突出片２１ａを挿入させることが可能である。また、係合部材７の左右方向における取付位置を変更することにより、建付け調整等で発生する網戸５の面内方向のがたつきを抑制することも可能である。
【００４０】
上記実施形態においては、係合部材７にスリットＳが設けられている例について説明したが、これに限るものではない。例えば、係合部材が縦框凹部に取り付けられて、凹部外壁部または凹部内壁部とともに、縦框凹部内に当該縦框凹部の見込み幅よりも狭いスリットが形成される形態であっても構わない。
【００４１】
上記実施形態においては、押圧機構を、係合部材７、ねじ７４、及び、プレートナット７３により構成した例について説明したが、これに限るものではない。例えば、係合部材に、ねじがスライド方向に進入するねじ穴が設けられている形態であっても構わない。また、係合部材にスライド方向に貫通する貫通孔が設けられており、貫通孔にスライド方向に挿通されて当該貫通孔に嵌合されるピンが、外周壁部をスライド方向に押圧することにより、係合部材を対向凹部突片に押圧して係合部材が縦框に保持される構成であっても構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４３】
本実施形態には、少なくとも以下の発明が含まれる。
縦框を有する網戸と、前記縦框と対向する一対の縦枠を備え、前記網戸をスライド移動可能に支持する枠体と、を有し、前記一対の縦枠は、前記網戸のスライド方向において、互いに対向する内周側に突出する突出片を有し、前記縦框は、前記網戸のスライド方向において前記縦枠と対向する側が開放され前記突出片が挿入される挿入凹部を有し、前記網戸は、前記突出片が挿入され、前記挿入凹部の見込み幅よりも狭いスリットを前記挿入凹部内に形成するスリット形成部材が当該挿入凹部内に設けられている建具である。
【００４４】
このような建具によれば、網戸の縦框が有する挿入凹部内には、挿入凹部の見込み幅よりも狭く、縦枠の突出片が挿入可能なスリットを形成するスリット形成部材が設けられている。このため、挿入凹部内にスリット形成部材が形成するスリットに突出片が挿入された状態で網戸が強風に煽られたとしても、網戸の見込み方向の移動は、スリット形成部材が設けられていないときよりも小さく、網戸と建枠等が接触して発生する音を小さく抑えることが可能である。このため、網戸が強風に煽られても音が発生し難い建具を提供することが可能である。
【００４５】
かかる建具であって、前記スリット形成部材は、合成樹脂製であることを特徴とする。
このような建具によれば、スリット形成部材により形成されたスリットに挿入された突出部が合成樹脂製のスリット形成部材に接触して発生する音は、金属同士が接触して発生する音よりも低く小さい。このため、網戸が強風に煽られてもより音が発生し難い建具を提供することが可能である。
【００４６】
かかる建具であって、前記スリットは、前記スリット形成部材に設けられていることを特徴とする。
このような建具によれば、スリットがスリット形成部材に設けられているので、スリット形成部材を挿入凹部に設けることにより、挿入凹部の見込み幅よりも狭いスリットを挿入凹部内に確実に設けることが可能である。
【００４７】
かかる建具であって、前記挿入凹部は、前記縦框の長手方向に沿って設けられており、見込み方向に間隔を空けて対向する一対の見付け壁部と、前記一対の見付け壁部を見込み方向に繋ぐ見込み壁部と、前記スリット形成部材と係合し、スライド方向における、前記スリット形成部材の前記挿入凹部から開放されている側への移動を規制する移動規制部と、を有し、前記スリット形成部材は、前記見込み壁部をスライド方向に押圧することにより、当該スリット形成部材を前記移動規制部に押圧する押圧機構により前記縦框に保持されていることを特徴とする。
【００４８】
このような建具によれば、挿入凹部に挿入されたスリット形成部材は、見込み壁部をスライド方向に押圧することにより、当該スリット形成部材を移動規制部に押圧する押圧機構により保持されているので、押圧機構によりスリット形成部材を移動規制部と見込み壁部との間で突っ張らせて縦框の挿入凹部内に保持することが可能である。このため、ねじを締めるだけでスリット形成部を挿入凹部内に容易に備えることが可能である。また、挿入凹部は、縦框の長手方向に沿って設けられているので、縦框の長手方向において所望の位置にスリット形成部材を配置することが可能である。
【００４９】
かかる建具であって、前記挿入凹部には、前記移動規制部がスライド方向において互いに異なる位置に複数設けられていることを特徴とする。
このような建具によれば、挿入凹部には、移動規制部がスライド方向において互いに異なる位置に複数設けられているので、スリット形成部材をスライド方向における異なる位置に配置することが可能である。このため、網戸や枠体の歪みなどにより、網戸の縦框と縦枠との間隔が広がってしまったとしても、スリット形成部材の、移動規制部と係合する位置を変更することにより、スリットに突出部を挿入させることが可能である。
【符号の説明】
【００５０】
１  建具、２  枠体、５  網戸、７  係合部材、２１  縦枠、２１ａ  突出片、
５１  縦框、７３  プレートナット、７４  ねじ、５１０ｃ  外周壁部、
５１２  縦框凹部、５１２ａ  凹部外壁部、５１２ｂ  凹部内壁部、
５１２ｃ  凹部突片、
Ｌ１  スリットの幅、Ｌ２  縦框凹部の見込み幅、Ｓ  スリット、
【図１】
2020063596.tif 000003
【図２】
2020063596.tif 000004
【図３】
2020063596.tif 000005
【図４】
2020063596.tif 000006
【図５】
2020063596.tif 000007
【図６】
2020063596.tif 000008
【図７】
2020063596.tif 000009
【図８】
2020063596.tif 000010
【図９】
2020063596.tif 000011